(57)【要約】【課題】記憶装置の大きなサイズの映像データを読み出して残容量の少ない記録媒体に書き込む際、元データのサイズが書き込み先の記録媒体の残容量より大きいと、記録媒体の残容量に入るよう映像データのサイズを自動的に分割して書き込み可能とする。【解決手段】ＤＶＤ１８の残容量に比してＨＤＤ１６のコピー元の大きなサイズのデータをＤＶＤ１８にコピーする際に、残容量が記録されているＤＶＤ１８から残容量を検出し、コピー元データをＤＶＤ１８の残容量に入るサイズに分割して、ＤＶＤ１８にコピーする。その際、ＨＤＤ１６のコピー元データを分割コピーする毎に、コピー済みを示す分割情報をコピー元データに対応させて対応関係テーブルとして作成しておく。そして、次回コピー時、前回の分割コピーに続くデータ部分を別の記録媒体にコピーする際に、前回の分割情報の位置からコピー元データを分割しコピーする。【選択図】  図１
2005182864.tif 000002
【特許請求の範囲】
【請求項１】
映像データがコピーされるコピー先記録媒体から残容量を読み込む手段と、
前記コピー先記録媒体の残容量に比べて大きなサイズの映像データをコピー元データとして記録しているコピー元記憶装置と、
前記コピー元データを前記コピー先記録媒体にコピーする際に、前記コピー元データを前記コピー先記録媒体の残容量に入るサイズに分割して、前記コピー先記録媒体にコピーする手段と、
前記コピー元記憶装置のコピー元データを分割コピーする毎に、コピー済みを示す分割情報をコピー元データに対応させて対応関係テーブルとして作成しておく対応関係テーブル作成手段と、
次回コピー時、前回の分割コピーに続くデータ部分を別に用意したコピー先記録媒体にコピーする際に、前回の分割情報の位置から前記コピー元データを分割しコピーするように前記コピー元記憶装置を読み出し制御する制御手段と、
を具備したことを特徴とする記録再生装置。
【請求項２】
前記制御手段は、次回コピー時には、前回分割した部分の続きの所定時間前からデータコピーを行うように前記コピー元記憶装置を読み出し制御することを特徴とする請求項１記載の記録再生装置。
【請求項３】
次回コピー時には、コピー元データにおける前回の続きからコピーを行うか、コピー元データの始めからコピーを行うか、を表示部に対話的に表示させる表示制御手段と、
前記表示部における対話的な表示に対応して、ユーザが応答するための操作手段と
を更に具備したことを特徴とする記録再生装置。
【請求項４】
前記対応関係テーブルは前記コピー元記憶装置に作成され、前記分割情報は前記コピー元データに書き込まれるものであることを特徴とする請求項１記載の記録再生装置。
【請求項５】
前記対応関係テーブルは、前記コピー元記憶装置とは別体のメモリ手段に作成されることを特徴とする請求項１記載の記録再生装置。
【請求項６】
映像データがコピーされるコピー先記録媒体から残容量を読み込むステップと、
前記コピー先記録媒体の残容量に比べてコピー元記憶装置に記録されている大きなサイズの映像データをコピー元データとして前記コピー先記録媒体にコピーする際に、前記コピー元データを前記コピー先記録媒体の残容量に入るサイズに分割して、前記コピー先記録媒体にコピーするステップと、
前記コピー元記憶装置のコピー元データを分割コピーする毎に、コピー済みを示す分割情報をコピー元データに対応させて対応関係テーブルとして作成しておく対応関係テーブル作成ステップと、
次回コピー時、前回の分割コピーに続くデータ部分を別に用意したコピー先記録媒体にコピーする際に、前回の分割情報の位置から前記コピー元データを分割しコピーするように前記コピー元記憶装置を読み出し制御する制御ステップと、
を具備したことを特徴とする記録再生方法。
【請求項７】
映像データが書き込まれる記録媒体から残容量を読み込む手段と、
前記記録媒体の残容量に比べて大きなサイズの映像データを元データとして記録している記憶装置と、
前記元データを前記記録媒体に書き込む際に、前記元データを前記記録媒体の残容量に入るサイズに分割して読み出し、前記記録媒体に書き込む手段と、
前記記憶装置の元データを分割読み出しする毎に、読み出し済みを示す分割情報を元データに対応させて対応関係テーブルとして作成しておく対応関係テーブル作成手段と、
次回読み出し時、前回の分割読み出しに続くデータ部分を別に用意した記録媒体に書き込む際に、前回の分割情報の位置から前記元データを分割読み出しするように前記記憶装置を読み出し制御する制御手段と、
を具備したことを特徴とする記録再生装置。
【請求項８】
映像データが書き込まれる記録媒体から残容量を読み込むステップと、
前記記録媒体の残容量に比べて記憶装置に記録されている大きなサイズの映像データを元データとして前記記録媒体に書き込む際に、前記元データを前記記録媒体の残容量に入るサイズに分割して読み出し、前記記録媒体に書き込むステップと、
前記記憶装置の元データを分割読み出しする毎に、読み出し済みを示す分割情報を元データに対応させて対応関係テーブルとして作成しておく対応関係テーブル作成ステップと、
次回読み出し時、前回の分割読み出しに続くデータ部分を別に用意した記録媒体に書き込む際に、前回の分割情報の位置から前記元データを分割読み出しするように前記記憶装置を読み出し制御する制御ステップと、
を具備したことを特徴とする記録再生方法。
【発明の詳細な説明】
【技術分野】
【０００１】
本発明は、映像及び音声を記録再生する記録再生装置及び記録再生方法に係り、特に記憶装置に記録している大きなサイズの映像データを残容量の少ない記録媒体にコピー又は移動する際、コピー又は移動するデータのサイズがコピー先又は移動先の残容量より大きい場合でも、自動的に分割してコピー又は移動できるようにした記録再生装置及び記録再生方法に関する。
【背景技術】
【０００２】
映像および音声の記録再生装置は、ハードディスク（以下、ＨＤＤ）等の情報記憶装置に既に蓄積してあるコピー元の資源（以下、映像および音声の記録再生装置などで作成された動画データ等のデータをコンテンツと呼ぶことがある）をＤＶＤ，ＳＤカード等のコピー先の記録媒体にコピーを行う機能を有している。しかし、記録再生装置で録画したデータのサイズがコピー先の記録媒体の残容量より大きい場合、コピーを行うことができない。
【０００３】
コピー元であるＨＤＤ等の情報記憶装置は大容量（例えば１６０Gbyte）であり、コピー先の記録媒体であるＤＶＤは例えば４．７Gbyteである。また、ＳＤカードは、例えば２.３５Gbyteである。
【０００４】
そこで、例えば、コピーしたいファイルが、コピー先のディスクの残容量より大きい場合、コピー先のディスクの空き容量に収まるようにファイルを時間軸上で分割して、コピーしているものがある。ファイルの残りは、必要によりディスクをユーザに交換させて、別のディスクにコピーする（例えば、特許文献１参照）。
【特許文献１】特開２０００−２９３９７５号公報
【発明の開示】
【発明が解決しようとする課題】
【０００５】
しかしながら、特許文献１に記載されているものでは、コピー対象のデータのサイズがコピー先の記録媒体の残容量より大きい場合、ユーザがコピー先の記録媒体の容量を確認し、事前にコピー先記録媒体にコピー可能なサイズに分割する編集作業が必要であった。
【０００６】
そこで、本発明は、上記の問題に鑑み、記憶装置の大きなサイズの映像データを読み出して残容量の少ない記録媒体に書き込む際、書き込む映像データのサイズが記録媒体の残容量より大きい場合に、自動的に書き込み先の記録媒体の残容量に入るよう映像データのサイズを分割し、自動的に分割して書き込むことが可能な記録再生装置及び記録再生方法を提供することを目的とするものである。
【課題を解決するための手段】
【０００７】
本発明による記録再生装置は、  映像データがコピーされるコピー先記録媒体から残容量を読み込む手段と、前記コピー先記録媒体の残容量に比べて大きなサイズの映像データをコピー元データとして記録しているコピー元記憶装置と、前記コピー元データを前記コピー先記録媒体にコピーする際に、前記コピー元データを前記コピー先記録媒体の残容量に入るサイズに分割して、前記コピー先記録媒体にコピーする手段と、前記コピー元記憶装置のコピー元データを分割コピーする毎に、コピー済みを示す分割情報をコピー元データに対応させて対応関係テーブルとして作成しておく対応関係テーブル作成手段と、次回コピー時、前回の分割コピーに続くデータ部分を別に用意したコピー先記録媒体にコピーする際に、前回の分割情報の位置から前記コピー元データを分割しコピーするように前記コピー元記憶装置を読み出し制御する制御手段と、を具備したことを特徴とする。
【０００８】
この発明の構成によれば、記録再生装置におけるコピー機能において、コピー元データ全てのサイズがコピー先の記録媒体の残容量を越えていてコピーできない場合、自動的にコピー先の記録媒体の残容量に入る適正なサイズに分割してコピーすることが可能となる。
【０００９】
コピー元データのどこまでコピーしたかを示すコピー済みの情報（即ち、分割情報）を管理することで、後で続きをコピーする際、容易に続きをコピーすることが可能となっている。
【００１０】
本発明において、前記制御手段は、次回コピー時には、前回分割した部分の続きの所定時間前からデータコピーを行うように前記コピー元記憶装置を読み出し制御することを特徴とする。
【００１１】
この発明によれば、分割されたデータ内容を視聴する際に、分割時のデータの内容が、分割位置の少し前から再生されるために、ユーザにとって分割されたコンテンツの内容が理解し易くなる。
【００１２】
本発明において、前記記録再生装置は、次回コピー時には、コピー元データにおける前回の続きからコピーを行うか、コピー元データの始めからコピーを行うか、を表示部に対話的に表示させる表示制御手段と、前記表示部における対話的な表示に対応して、ユーザが応答するための操作手段とを更に具備したことを特徴とする。
【００１３】
この発明によれば、次回コピー時であっても、前回コピーした部分の続き部分をコピー先記録媒体にコピーできるほかに、ユーザが選択することによって、異なるコピー先記録媒体にコピー元のコンテンツの内容を最初からコピーすることも可能となる。
【００１４】
本発明において、前記対応関係テーブルは前記コピー元記憶装置に作成され、前記分割情報は前記コピー元データに書き込まれるものであることを特徴とする。
【００１５】
この発明によれば、分割情報がコピー元記憶装置のコピー元データに書き込まれているので、このコピー元データを他の記憶装置に移動しても、その記憶装置から続きコピーが可能となる。
【００１６】
本発明において、前記対応関係テーブルは、前記コピー元記憶装置とは別体のメモリ手段に作成されることを特徴とする。
【００１７】
この発明によれば、分割情報は対応関係テーブルと共に別体のメモリ手段に記憶されることになり、コピー元記憶装置には分割情報の入らないオリジナルのコピー元データを保存しておくことが可能となる。
【００１８】
本発明による記録再生方法は、映像データがコピーされるコピー先記録媒体から残容量を読み込むステップと、前記コピー先記録媒体の残容量に比べてコピー元記憶装置に記録されている大きなサイズの映像データをコピー元データとして前記コピー先記録媒体にコピーする際に、前記コピー元データを前記コピー先記録媒体の残容量に入るサイズに分割して、前記コピー先記録媒体にコピーするステップと、前記コピー元記憶装置のコピー元データを分割コピーする毎に、コピー済みを示す分割情報をコピー元データに対応させて対応関係テーブルとして作成しておく対応関係テーブル作成ステップと、次回コピー時、前回の分割コピーに続くデータ部分を別に用意したコピー先記録媒体にコピーする際に、前回の分割情報の位置から前記コピー元データを分割しコピーするように前記コピー元記憶装置を読み出し制御する制御ステップと、を具備したことを特徴とする。
【００１９】
この発明の方法によれば、記録再生装置におけるコピー機能において、コピー元データ全てのサイズがコピー先の記録媒体の残容量を越えていてコピーできない場合、自動的にコピー先の記録媒体の残容量に入る適正なサイズに分割してコピーすることが可能となる。
【００２０】
コピー元データのどこまでコピーしたかを示すコピー済みの情報（即ち、分割情報）を管理することで、後で続きをコピーする際、容易に続きをコピーすることが可能となっている。
【００２１】
本発明による記録再生装置は、映像データが書き込まれる記録媒体から残容量を読み込む手段と、前記記録媒体の残容量に比べて大きなサイズの映像データを元データとして記録している記憶装置と、前記元データを前記記録媒体に書き込む際に、前記元データを前記記録媒体の残容量に入るサイズに分割して読み出し、前記記録媒体に書き込む手段と、前記記憶装置の元データを分割読み出しする毎に、読み出し済みを示す分割情報を元データに対応させて対応関係テーブルとして作成しておく対応関係テーブル作成手段と、次回読み出し時、前回の分割読み出しに続くデータ部分を別に用意した記録媒体に書き込む際に、前回の分割情報の位置から前記元データを分割読み出しするように前記記憶装置を読み出し制御する制御手段と、を具備したことを特徴とする。
【００２２】
この発明の構成によれば、記録再生装置における書込み機能において、元データ全てのサイズが書き込み先の記録媒体の残容量を越えていて書き込みできない場合、自動的に書き込み先の記録媒体の残容量に入る適正なサイズに分割してコピーすることが可能となる。
【００２３】
元データのどこまで読み出し書き込んだかを示す読み出し済みの情報（即ち、分割情報）を管理することで、後で続きを読み出し書き込む際、容易に続きを読み出して書き込むことが可能となっている。
【００２４】
本発明による記録再生方法は、映像データが書き込まれる記録媒体から残容量を読み込むステップと、前記記録媒体の残容量に比べて記憶装置に記録されている大きなサイズの映像データを元データとして前記記録媒体に書き込む際に、前記元データを前記記録媒体の残容量に入るサイズに分割して読み出し、前記記録媒体に書き込むステップと、前記記憶装置の元データを分割読み出しする毎に、読み出し済みを示す分割情報を元データに対応させて対応関係テーブルとして作成しておく対応関係テーブル作成ステップと、次回読み出し時、前回の分割読み出しに続くデータ部分を別に用意した記録媒体に書き込む際に、前回の分割情報の位置から前記元データを分割読み出しするように前記記憶装置を読み出し制御する制御ステップと、を具備したことを特徴とする。
【００２５】
この発明の方法によれば、記録再生装置における書込み機能において、元データ全てのサイズが書き込み先の記録媒体の残容量を越えていて書き込みできない場合、自動的に書き込み先の記録媒体の残容量に入る適正なサイズに分割してコピーすることが可能となる。
【００２６】
元データのどこまで読み出し書き込んだかを示す読み出し済みの情報（即ち、分割情報）を管理することで、後で続きを読み出し書き込む際、容易に続きを読み出して書き込むことが可能となっている。
【発明の効果】
【００２７】
本発明の記録再生装置及び記録再生方法によれば、記憶装置の大きなサイズの動画データ等の元データを残容量の少ない記録媒体に書き込む際に、元データのサイズが書き込み先の残容量より大きい場合には、書き込み先の記録媒体の残容量に入るよう元データのサイズを自動的に分割して書き込みすることが可能となる。
【発明を実施するための最良の形態】
【００２８】
発明の実施の形態について図面を参照して説明する。 
【実施例１】
【００２９】
図１は本発明の実施例１の記録再生装置の構成を示すブロック図である。 
図１において、記録再生装置の装置本体１０は、本体内各部の制御を行うＣＰＵ１１と、本体内及び周辺機器を制御するプログラムを記憶しているＲＯＭ１２と、ＣＰＵ１１の演算及び各種処理に必要なデータを記憶するＲＡＭ１３と、ＣＰＵ１１に接続して各部のインタフェースとデータのやり取りをするバスライン１４と、ＣＰＵ１１に対してバスライン１４を介して接続したハードディスクインタフェース（以下、ＨＤＤ Ｉ／Ｆ）１５と、ＨＤＤ Ｉ／Ｆ１５に接続して映像及び音声のデータや管理データなどを記憶するＨＤＤ１６と、バスライン１４に接続してＤＶＤ１８への書込み読出し駆動制御を行うＤＶＤインタフェース（以下、ＤＶＤ Ｉ／Ｆ）１７と、バスライン１４に接続してＳＤカード２０への書込み読出し駆動制御を行うＳＤインタフェース（以下、ＳＤ Ｉ／Ｆ）１９と、バスライン１４に接続して表示部の表示駆動制御を行う表示制御手段としての表示インタフェース（以下、表示 Ｉ／Ｆ）２１と、表示 Ｉ／Ｆ２１に接続して装置本体及び外部記録媒体（ＤＶＤ,ＳＤカードなど）の現在状態及びユーザに対する操作情報などを表示する表示部２２と、図示しない操作手段としてのリモコンから赤外線リモコン信号を受光する受光部２４と、受光部２４からのリモコン信号を処理してバスライン１４を介してＣＰＵ１１に通知するリモコンインタフェース（以下、リモコンＩ／Ｆ）２３と、を有している。
【００３０】
また、装置本体１０の前記ＤＶＤ Ｉ／Ｆ１７は、ＤＶＤ１８をディスクトレイ（図示せず）に載置した状態でＣＰＵ１１の制御の下にＤＶＤ１８を駆動するようになっている。同様に、装置本体１０の前記ＳＤ Ｉ／Ｆ１９は、ＳＤカード２０をカードソケット（図示せず）に装着した状態でＣＰＵ１１の制御の下にＳＤカード２０を駆動するようになっている。すなわち、ＤＶＤ１８とＳＤカード２０はそれぞれ装置本体１０に対して脱着可能となっている。
【００３１】
今、図１のような記録再生装置において、ＨＤＤ１６に予め録画した大きなサイズのデータ（例えばＳＰモードで１０時間分の連続したデータ）を、ＤＶＤ１８やＳＤカード２０にコピーして、これを装置本体１０の装着部から取り外して図２(a) のようなポータブルＤＶＤプレーヤや図２(b)のような超小型パソコン（ポケットＰＣと呼ばれる）に装着して鑑賞する、といった使用形態を一例として考える。
【００３２】
このような使用例では、記録再生装置の装置本体１０に内蔵されているＨＤＤ１６に録画されているデータのサイズに比して、ＤＶＤ１８やＳＤカード２０の記憶可能容量は小さく、そのためにＨＤＤ１６に記憶されている１０時間分の一続きのデータをＤＶＤ１８やＳＤカード２０にコピーすることはできない。そこで、１０時間分の一続きのデータを例えばＤＶＤに入るように２時間分ずつに分割してコピーすれば可能であるが、従来は特許文献１についてもあるように１０時間分の一続きのデータを複数枚のＤＶＤにコピーするのに、ユーザは前以ってＨＤＤのコピー元データを２時間分ずつ分割する編集作業が必要であった。
【００３３】
そこで、本発明の実施例１では、上記のようなＨＤＤ内の大きなサイズのコピー元データを、コピー先であるＤＶＤやＳＤカードの残容量に入るサイズに自動的に分割することによって解決する。
【００３４】
図３及び図４は、装置本体１０のＣＰＵ１１の動作を説明するフローチャートを示している。装置本体（以下、ＨＤＤ側）１０にＤＶＤ１８が装着されていて、ＨＤＤ側からＤＶＤ側へコピーを行う場合について説明する。ここでは、コピー先記録媒体としてＤＶＤ１８が選択されているものとして説明するが、ＳＤカード２０のコピー動作についても同様になる。
【００３５】
図３において、ＤＶＤ側がコピー先として選択されている状態で、図示しないリモコンのコピーボタンを操作すると、ＣＰＵ１１はまず、ＤＶＤ１８が保有している残容量情報を読み込み（ステップＳ1）、コピー元のＨＤＤ側のデータ量とコピー先のＤＶＤ側の残容量を比較する（ステップＳ2）。ＨＤＤ側の一続きのデータ量の方がＤＶＤ側の残容量より小さければ、ＨＤＤ側の一続きの全てのデータをＤＶＤ１８にコピーする（ステップＳ5）。
【００３６】
ＨＤＤ側のデータ量の方がＤＶＤ側の残容量より大きければ、ＨＤＤ側の元データをＤＶＤ１８の残容量に入るサイズに分割してこれを読み出し、ＤＶＤ１８に書き込む。即ち、分割コピーする（ステップＳ3）。そして、ＣＰＵ１１は、ＨＤＤ１６のコピー元データから分割分のコンテンツを読み出すと、分割情報（分割位置を示す情報）としてのフラグをＨＤＤ１６内のコピー元データに書き込む（ステップＳ4）。即ち、ＨＤＤ１６のコピー元データにおける分割位置に初回分のフラグを書き込むことで、コピー済みを示す分割情報をコピー元データに対応させた対応関係テーブルを作成する。
【００３７】
その後、ユーザが、続けて前回の続きをコピーするか、続きのコピーをしないか（即ち、後日などに次回コピーをするか）、コピー元データの始めからコピーするかを、表示部２２に表示される例えば図６のような操作画面に従ってリモコンによるカーソル移動及び決定（ＯＫ）の操作によって選択する（ステップＳ6）。「続きをコピー」を選択したときには、ステップＳ7にてＨＤＤ側の元データを全てコピーしたか否かを判断する。今は、初回であるからステップＳ7は「ＮＯ」へ進み、表示部２２に別のＤＶＤを入れ替えて装着する指示が表示される。そこで、別のＤＶＤを装着すると（ステップＳ8）、ステップＳ1に戻って再びステップＳ2〜Ｓ8のフローを繰り返し、複数枚のＤＶＤ１８への分割コピーが行われていくと共に、分割する毎にＨＤＤ１６内のコピー元データに初回分以降の分割用フラグが書き込まれて、対応関係テーブルが作成されていく。
【００３８】
そして、ステップＳ7の判定処理で、ＨＤＤ側のコピー元データを全て分割コピーしていると、終了する。なお、ステップＳ6で、「始めからコピー」を選択すると、詳細な動作は省略するが、対応関係テーブル上の分割情報であるフラグは参照されことなく、ＨＤＤ側のコピー元データの始めからコピー動作を行えるようになっている（ステップＳ9）。
【００３９】
一方、図３のステップＳ6で、初回及びそれ以降の回数の分割コピーを行った後に（ただし、コピー元データ全ての分割コピーは完了していない）、「コピーしない」を選択して終了し、後日などに前回に続く次回以降の分割コピーを行う場合は、図４のフローチャートに従って進行していく。
【００４０】
後日、記録再生装置本体１０の電源が投入されると、ＣＰＵ１１はまず、ＨＤＤ１６の対応関係テーブルを参照してコピー希望のコンテンツに関して前回の分割コピーに続く残りのデータのコピー未完了を検知する（コピー元データのコンテンツ全てのコピーが完了していないことを知る）と、図４のフローチャートの動作フローに移行する。
【００４１】
図４において、装置本体１０に新たなＤＶＤ１８が装着されＤＶＤ１８がコピー先として選択されている状態で、図示しないリモコンのコピーボタンを操作すると、ＣＰＵ１１はまず、ＤＶＤ１８が保有している残容量情報を読み込み（ステップＳ11）、コピー元のＨＤＤ側のデータ量とコピー先のＤＶＤ側の残容量を比較する（ステップＳ12）。ＨＤＤ側のデータ量の方がＤＶＤ側の残容量より小さければ、ＨＤＤ側の全てのデータをＤＶＤ１８にコピーする（ステップＳ16）。
【００４２】
ＨＤＤ側のデータ量の方がＤＶＤ側の残容量より大きければ、ユーザが、前回に続けて続きをコピーするか、コピーしないか（即ち、今回のコピーを中止するか）、コピー元データの始めからコピーするかのうちのいずれかを、表示部２２に表示される例えば図６のような操作画面に従ってリモコンによるカーソル移動及び決定（ＯＫ）の操作によって選択する（ステップＳ13）。
【００４３】
ステップＳ13で「続きをコピー」を選択したときには、ＨＤＤ側のコピー元データをＤＶＤ１８の残容量に入るサイズに分割してこれを読み出し、ＤＶＤ１８に書き込む。即ち、分割コピーする（ステップＳ14）。そして、ＣＰＵ１１は、ＨＤＤ１６のコピー元データから分割分のコンテンツを読み出すと、分割情報としてのフラグをＨＤＤ１６内のコピー元データに書き込む（ステップＳ15）。即ち、ＨＤＤ１６のコピー元データのコンテンツの前回分の次の分割位置にフラグを追加する形で、対応関係テーブルを作成する。
【００４４】
その後、ユーザが、前回に続けて続きをコピーするか、コピーしないか（即ち、次の分割コピーをすることなく中止するか）、コピー元データの始めからコピーするかのうちのいずれかを、表示部２２に表示される例えば図６のような操作画面に従ってリモコンによるカーソル移動及び決定（ＯＫ）の操作によって選択する（ステップＳ18）。「続きをコピー」を選択したときには、ＨＤＤ側のコピー元データを全てコピーしたか否かを判断する（ステップＳ19）。ＨＤＤ側のコピー元データを全てコピーしていれば終了し、コピー元データを全てコピーしていなければ、「ＮＯ」へ進み、表示部２２に別のＤＶＤを入れ替えて装着する旨の指示が表示される。そこで、別のＤＶＤを装着すると（ステップＳ20）、ステップＳ11に戻って再びステップＳ12〜Ｓ20のフローを繰り返し、複数枚のＤＶＤ１８にそれぞれ分割コピーがなされていくと共に、ＨＤＤ１６内のコピー元データに分割する毎に複数回分の分割用フラグが書き込まれ、対応関係テーブルとして作成されていく。
【００４５】
そして、ステップＳ19の判定処理で、ＨＤＤ側のコピー元データを全て分割コピーしていると、終了する。なお、ステップＳ13，Ｓ18で、「始めからコピー」を選択すると、詳細な動作は省略するが、対応関係テーブル上の分割情報としてのフラグは参照されことなく、ＨＤＤ側のコピー元データの始めからコピー動作を行えるようになっている（ステップＳ17，Ｓ21）。
【００４６】
なお、上記の図３及び図４の実施例では、説明を分かり易くするため、コピー先記録媒体をＤＶＤのみとして説明しているが、コピー動作のフローとして、まずコピー先記録媒体の選択を行うステップを加えることもできる。すなわち、図３及び図４のコピー動作スタート時にまず、コピー先の記録媒体（ＤＶＤか、ＳＤカードか）の選択を行ってから、ＣＰＵ１１がコピー先記録媒体（例えばＳＤカードが選択されていたとする）に記録されている残容量を読み込み、これをＨＤＤ側のコピー元コンテンツのサイズと比較し、以下図３及び図４と同様にしてＳＤカードの残容量の方が小さければそのＳＤカードに入るデータ量を分割コピーすることができる。
【００４７】
次に、コピー先記録媒体が複数種類（例えば図１のようにＤＶＤ１８とＳＤカード２０）あり、これらの異なった種類（或いは状態）の記録媒体に分割コピーする場合に、コピー元データに分割コピーした履歴として書き込まれる分割情報の書き込み例、すなわち、対応関係テーブル作成例について説明する。
【００４８】
図５は、分割コピーの実行時に、コピー元のＨＤＤ側のユーザ希望のコンテンツ（コピー元データ）に分割コピー実行毎に書き込まれる分割情報としてのフラグＦ1，Ｆ2…を示している。ユーザがＨＤＤ１６に録画されている所定サイズ（例えばＳＰモードで１０時間分、１０ｈと記す）のコピー元コンテンツから、初回に２ｈ分の録画データを、２ｈ分の残容量を有するＤＶＤ１８に分割コピーすると、コピー元のコンテンツには分割用フラグＦ1が書き込まれる。そして、２回目として、例えば翌日に記録再生装置本体１０の電源をオンして動作待機状態とし、コピー先記録媒体として１ｈ分の空き容量を有するＳＤカード２０を選択し分割コピーすると、コピー元のコンテンツには分割用フラグＦ2が書き込まれる。同様に、３回目として、２ｈ分の空き容量を有する別のＤＶＤ１８に分割コピーすると、コピー元のコンテンツには分割用フラグＦ3が書き込まれる。次に、４回目として、例えば３０分間の記録がなされていて残容量が１．５ｈ分のＤＶＤ１８に分割コピーを実行すると、本発明実施例においてはこの１．５ｈ分の残容量を検知しこれに入るサイズに自動的にコピー元データの分割が行われ、コピー元のコンテンツには分割用フラグＦ4が書き込まれる。さらに、５回目として、１ｈ分の空き容量を有するＳＤカード２０を選択し分割コピーすると、コピー元のコンテンツには分割用フラグＦ5が書き込まれる。以下同様にして、１０ｈ分のコピー元のコンテンツを、種類や記録状態の異なった複数の記録媒体にそれぞれの残容量に応じて分割してコピーすることができる。
【００４９】
以上述べた実施例１によれば、記録再生装置で録画したコンテンツを分割コピーする際、どこまでコピーしたかという分割情報をコピー元のコンテンツに書き込むため、次回コピー時には、分割コピーを実施したコンテンツの続きからコピーすることが可能となる。従って、コピー元のコンテンツは、コピーされた情報を持っているために、このコンテンツファイルが全て、装置本体１０のＨＤＤ１６とは異なる別の記憶装置に移動されたとしても、その記憶装置から続きコピーが可能である。
【００５０】
尚、以上述べた実施例１では、ＨＤＤ１６のコピー元コンテンツに分割情報を書き込み、分割コピーのための対応関係テーブルとしても用いる例について説明したが、コピー元コンテンツのサイズ（又は時間）全体に対する各回の分割位置（又は分割時間）の関係を示す対応関係テーブルを、ＨＤＤ１６とは別体のメモリ手段（図示せず）に作成記憶させる構成としてもよい。このように構成すれば、ＨＤＤ側のコピー元コンテンツには分割情報が入っていないので、既に分割コピー済みのコピー元コンテンツの始めから再びコピーしたい時などに、分割情報を気にすることなく、最初からコピーし直すことが容易となる。
【００５１】
また、上述の実施例１では、コピー先の記録媒体であるＤＶＤ１８やＳＤカード２０は記録再生装置本体１０に装着され、それらの残容量はＤＶＤ１８やＳＤカード２０が装置本体１０に装着された状態で、ＣＰＵ１１によって残容量情報として検出される構成であった。このような構成に対して、図１の記録再生装置本体１０と図２に示すようなポータブルＤＶＤプレーヤやポケットＰＣとをＵＳＢ接続ケーブルなどを用いて(或いは無線で)接続する構成とし、コピー先記録媒体であるＤＶＤやＳＤカードそれぞれをポータブルＤＶＤプレーヤやポケットＰＣに装着した状態で、装置本体（ＨＤＤ側）１０から図２(a)，(b)の各装置にデータコピーする構成としてもよい。ただし、このようにコピー元装置とコピー先装置とを接続ケーブル又は無線で接続した場合、まず、コピー元装置のＣＰＵからコピー先装置のＣＰＵへ残容量送付要求が出され、これを受け取ったコピー先装置のＣＰＵは自身の記録媒体に書かれている残容量情報をコピー元装置のＣＰＵへ送信することで、コピー元装置のＣＰＵへ通知することになる。このような接続ケーブル又は無線で接続する構成の場合においても、コピー元装置からのコピーデータが通信データとしてコピー先装置に送られる以外は、分割コピーの手順は図３及び図４で説明した手順と同様である。
【００５２】
さらに、上述の実施例１では、記憶装置の大きなサイズの元データを読み出して残容量の少ない記録媒体へ書き込みを行う例として、記憶装置の元データを記録媒体の残容量に入るように分割コピーする場合について説明したが、本発明は分割コピーを行う場合に限定されることなく、記憶装置の元データを記録媒体の残容量に入るように分割移動する場合についても同様に利用することが可能である。
【産業上の利用可能性】
【００５３】
本発明は、映像コンテンツとかマルチメディアコンテンツを蓄積する画像ファイル装置やサーバー装置のような大容量の記憶装置を有する記録再生装置のほかに、ハードディスク内蔵型のＤＶＤレコーダ、デジタルカメラ及びデジタルビデオカメラなどを含む、映像及び／又は音声データを記録再生する記録再生装置に広く応用することが可能である。
【図面の簡単な説明】
【００５４】
【図１】本発明の実施例１の記録再生装置の構成を示すブロック図。
【図２】図１の記録再生装置のＨＤＤの録画データがコピーされたＤＶＤ又はＳＤカードを、再生するためのポータブル型又はポケット型の再生装置を示す斜視図。
【図３】記録再生装置本体のＣＰＵの動作を説明するフローチャート。
【図４】記録再生装置本体のＣＰＵの動作を説明するフローチャート。
【図５】分割コピーの実行時に、ＨＤＤ側のコピー元のコンテンツに分割コピー実行毎に書き込まれる分割用フラグを示す図。
【図６】コピー方法の選択を行うための画面表示例を示す図。
【符号の説明】
【００５５】
１０…記録再生装置本体
１１…ＣＰＵ（残容量を読み込む手段、記録媒体に書き込む手段、コピーする手段、対応関係テーブル作成手段、制御手段）
１２…ＲＯＭ
１３…ＲＡＭ
１６…ＨＤＤ（記憶装置）
１８…ＤＶＤ（記録媒体）
２０…ＳＤカード（記録媒体）
２２…表示部
２４…受光部
代理人    弁理士      伊    藤      進 
【図１】
2005182864.tif 000003
【図２】
2005182864.tif 000004
【図３】
2005182864.tif 000005
【図４】
2005182864.tif 000006
【図５】
2005182864.tif 000007
【図６】
2005182864.tif 000008